(57)【要約】【課題】携帯端末とペアリング相手装置との接続時にユーザの操作を一切必要とすることなく、携帯端末に予め設定された機能設定を自動的に行う。【解決手段】携帯端末１０はブルートゥース装置２０との接続時にブルートゥース装置２０がペアリング相手装置であるかを照合し、ペアリング相手装置であった場合に、記憶部１５に予め登録されたブルートゥース装置２０接続時モード対応の設定情報に基づいた機能設定を行う。【選択図】      図１
2009071664.tif 000002
【特許請求の範囲】
【請求項１】
所定エリアに設置されたブルートゥース装置と予めペアリングされた携帯端末であって、
ブルートゥース通信を行うブルートゥース通信部と、ペアリング相手装置のブルートゥースアドレスを含むペアリング相手情報とブルートゥース装置接続時モード対応の設定情報とが予め登録された記憶部と、前記ブルートゥース装置から問い合わせ要求パケットを受信したときに自端末のブルートゥースアドレスを含む問い合わせ応答パケットを返信し、前記ブルートゥース装置からブルートゥースアドレスを含む接続要求パケットを受信したときに前記記憶部を参照してペアリング相手装置かを判別し、ペアリング相手装置であった場合にブルートゥース装置接続時モード対応の設定情報に基づいた機能設定を行う制御部とを有することを特徴とする携帯端末。
【請求項２】
前記記憶部にブルートゥース装置非接続時モード対応の設定情報をさらに登録しておき、前記制御部は前記ブルートゥース装置からの所定パケットを所定時間以上受信していない場合に前記ブルートゥース装置との接続を解除し、接続解除をトリガとしてブルートゥース装置非接続時モード対応の設定情報に基づいた機能設定を行うことを特徴とする請求項１記載の携帯端末。
【請求項３】
前記ブルートゥース装置接続時モードは前記携帯端末が前記ブルートゥース装置に接続されているときに設定される各機能のＯＮ，ＯＦＦ設定情報であり、前記ブルートゥース装置非接続時モードは前記携帯端末が前記ブルートゥース装置に接続されていないときに設定される各機能のＯＮ，ＯＦＦ設定情報であることを特徴とする請求項２記載の携帯端末。
【請求項４】
時刻情報を生成する時計部をさらに有するとともに、前記記憶部に予め設定時刻を登録しておき、設定時刻になったときに前記制御部が前記ブルートゥース通信部の電源をＯＮすることを特徴とする請求項１，２または３記載の携帯端末。
【請求項５】
所定エリアに設置されたブルートゥース装置と、前記ブルートゥース装置と予めペアリングされた携帯端末とを備えた携帯端末のモード制御システムであって、
前記ブルートゥース装置は、ブルートゥース通信を行う第１のブルートゥース通信部と、ペアリング相手装置のブルートゥースアドレスを含むペアリング相手情報が予め登録された第１の記憶部と、問い合わせ要求パケットを送信し、前記携帯端末からブルートゥースアドレスを含む問い合わせ応答パケットを受信したときに前記第１の記憶部を参照してペアリング相手装置かを判別し、ペアリング相手装置であった場合に前記携帯端末に自装置のブルートゥースアドレスを含む接続要求パケットを送信する第１の制御部とを有し、
前記携帯端末は、ブルートゥース通信を行う第２のブルートゥース通信部と、ペアリング相手装置のブルートゥースアドレスを含むペアリング相手情報とブルートゥース装置接続時モード対応の設定情報とが予め登録された第２の記憶部と、前記問い合わせ要求パケットを受信したときに自端末のブルートゥースアドレスを含む問い合わせ応答パケットを返信し、ブルートゥースアドレスを含む前記接続要求パケットを受信したときに前記第２の記憶部を参照してペアリング相手装置かを判別し、ペアリング相手装置であった場合にブルートゥース装置接続時モード対応の設定情報に基づいた機能設定を行う第２の制御部とを有することを特徴とする携帯端末のモード制御システム。
【請求項６】
前記記憶部にブルートゥース装置非接続時モード対応の設定情報をさらに登録しておき、前記第１の制御部は前記携帯端末との接続中に所定間隔で前記携帯端末に対して所定パケットを送信し、前記第２の制御部は前記所定パケットを所定時間以上受信していない場合に前記ブルートゥース装置との接続を解除し、接続解除をトリガとしてブルートゥース装置非接続時モード対応の設定情報に基づいた機能設定を行うことを特徴とする請求項５記載の携帯端末のモード制御システム。
【請求項７】
前記ブルートゥース装置接続時モードは前記携帯端末が前記ブルートゥース装置に接続されているときに設定される各機能のＯＮ，ＯＦＦ設定情報であり、前記ブルートゥース装置非接続時モードは前記携帯端末が前記ブルートゥース装置に接続されていないときに設定される各機能のＯＮ，ＯＦＦ設定情報であることを特徴とする請求項６記載の携帯端末のモード制御システム。
【請求項８】
時刻情報を生成する時計部を前記ブルートゥース装置および前記携帯端末にさらに有するとともに、前記第１および第２の記憶部に予め設定時刻を登録しておき、設定時刻になったときに、前記第１の制御部が前記第１のブルートゥース通信部の電源をＯＮして前記問い合わせ要求パケットを送信するとともに、前記第２の制御部が前記第２のブルートゥース通信部の電源をＯＮすることを特徴とする請求項５，６または７記載の携帯端末のモード制御システム。
【請求項９】
ブルートゥース装置と予めペアリングされた携帯端末のモード制御方法であって、前記携帯端末は前記ブルートゥース装置との接続時に前記ブルートゥース装置がペアリング相手装置であるかを照合し、ペアリング相手装置であった場合に予め登録されたブルートゥース装置接続時モード対応の設定情報に基づいた機能設定を行うことを特徴とする携帯端末のモード制御方法。
【請求項１０】
前記携帯端末は前記ブルートゥース装置との接続が解除されたかを検出し、解除された場合にブルートゥース装置非接続時モード対応の設定情報に基づいた機能設定を行うことを特徴とする請求項９記載の携帯端末のモード制御方法。
【請求項１１】
ブルートゥース装置と予めペアリングされた携帯端末のモード制御方法であって、
所定時刻に前記ブルートゥース装置が問い合わせ要求パケットを送信するステップと、前記ブルートゥース装置が前記携帯端末からブルートゥースアドレスを含む問い合わせ応答パケットを受信したときに予め登録されたペアリング相手装置かを判別するステップと、ペアリング相手装置であった場合に前記ブルートゥース装置が自装置のブルートゥースアドレスを含む接続要求パケットを前記携帯端末に送信するステップと、前記携帯端末が前記接続要求パケットを受信したときに予め登録されたペアリング相手装置かを判別するステップと、ペアリング相手装置であった場合にブルートゥース装置接続時モード対応の設定情報に基づいた機能設定を行うとともに接続要求応答パケットを返信して接続を確立するステップと、前記ブルートゥース装置が前記携帯端末との接続中に所定間隔で前記携帯端末に対して所定パケットを送信するステップと、前記携帯端末が前記所定パケットを所定時間以上受信していない場合に前記ブルートゥース装置との接続を解除するステップと、前記携帯端末が接続解除をトリガとしてブルートゥース装置非接続時モード対応の設定情報に基づいた機能設定を行うステップとを有することを特徴とする携帯端末のモード制御方法。
【発明の詳細な説明】
【技術分野】
【０００１】
本発明は、ペアリング済みのブルートゥース装置（マスター），携帯端末（スレーブ）を用いた携帯端末のモード制御システム，携帯端末および携帯端末のモード制御方法に関する。
【背景技術】
【０００２】
携帯端末のモード制御（各機能のＯＮ，ＯＦＦ制御等）に関する関連技術は、例えば、特開２００７−５８５６号公報（特許文献１）や、特開２００４−４８１６６号公報（特許文献２）に開示されている。
特許文献１においては、
・携帯電話を所持した人が店内に入ると、携帯電話は店内に設置された機能制限命令発信装置から機能制限命令信号（電源オフ命令等）を受信して電源をオフし、
・店から出るときに、携帯電話は出入り口付近に設置されたブルートゥース装置から機能制限解除命令信号を受信し、電源をオンする、
ことが記載されている。
また、特許文献２においては、
・携帯端末にエリア毎の規制パターン（各機能の規制等）を登録しておき、
・あるエリア内において、携帯端末はエリア内に設置された規制用発信局から規制信号を受信し、規制信号に対応する規制パターンに従った規制モードへの切換えを行い、
・エリアから出るときに、携帯電話は出入り口付近に設置された規制解除用発信局から規制解除信号を受信し、規制モードを解除する、
ことが記載されている。
【０００３】
【特許文献１】特開２００７−５８５６号公報（段落「００３０」〜「００３４」、図１、図３）
【特許文献２】特開２００４−４８１６６号公報（段落「００２４」〜「００２７」、「００６０」〜「００６４」、図１、図６）
【発明の開示】
【発明が解決しようとする課題】
【０００４】
上述した特許文献１または２においては、エリア毎に規制内容が決まっており、同じ規制内容が同一エリア内に存在する全ての携帯端末に対して一律に適用されている。これは、エリア内で不都合な機能等を規制したいというエリア管理者側の観点から発想されたものであり、携帯端末ユーザ側の観点から発想されたものではない。従って、ユーザにしてみれば、自分の意思とは無関係に管理者側で決められた規制を受けるだけである。ユーザの観点からすると、ユーザ（携帯端末）が存在するエリア（自宅等）に応じて、ユーザが予め設定した機能モードに自動切り替えできれば好適である。例えば、帰宅時にユーザが何もしないでも、外出先モード（マナーモードＯＮ，セキュリティロックＯＮ，目覚し設定ＯＦＦ等）から自宅モード（マナーモードＯＦＦ，セキュリティロックＯＦＦ，目覚し設定ＯＮ等）に切り替えられることが望ましい。これにより、自宅においてマナーモードの解除忘れにより着信に気付かなかったり、目覚まし機能をＯＮにするのを忘れたりすることがなくなるため、ユーザはこれらの設定変更から解放されることになる。また、特許文献１または２のように全てのユーザ一律ではなく、ユーザ毎に以上の制御を可能にすることが望ましい。しかし、特許文献１または２においては、ユーザの観点からとらえた以上のような制御については記載されていない。
【課題を解決するための手段】
【０００５】
本発明の携帯端末は、所定エリアに設置されたブルートゥース装置と予めペアリングされた携帯端末であって、
ブルートゥース通信を行うブルートゥース通信部と、ペアリング相手装置のブルートゥースアドレスを含むペアリング相手情報とブルートゥース装置接続時モード対応の設定情報とが予め登録された記憶部と、前記ブルートゥース装置から問い合わせ要求パケットを受信したときに自端末のブルートゥースアドレスを含む問い合わせ応答パケットを返信し、前記ブルートゥース装置からブルートゥースアドレスを含む接続要求パケットを受信したときに前記記憶部を参照してペアリング相手装置かを判別し、ペアリング相手装置であった場合にブルートゥース装置接続時モード対応の設定情報に基づいた機能設定を行う制御部とを有する。
【０００６】
本発明の携帯端末のモード制御システムは、所定エリアに設置されたブルートゥース装置と、前記ブルートゥース装置と予めペアリングされた携帯端末とを備えた携帯端末のモード制御システムであって、
前記ブルートゥース装置は、ブルートゥース通信を行う第１のブルートゥース通信部と、ペアリング相手装置のブルートゥースアドレスを含むペアリング相手情報が予め登録された第１の記憶部と、問い合わせ要求パケットを送信し、前記携帯端末からブルートゥースアドレスを含む問い合わせ応答パケットを受信したときに前記第１の記憶部を参照してペアリング相手装置かを判別し、ペアリング相手装置であった場合に前記携帯端末に自装置のブルートゥースアドレスを含む接続要求パケットを送信する第１の制御部とを有し、
前記携帯端末は、ブルートゥース通信を行う第２のブルートゥース通信部と、ペアリング相手装置のブルートゥースアドレスを含むペアリング相手情報とブルートゥース装置接続時モード対応の設定情報とが予め登録された第２の記憶部と、前記問い合わせ要求パケットを受信したときに自端末のブルートゥースアドレスを含む問い合わせ応答パケットを返信し、ブルートゥースアドレスを含む前記接続要求パケットを受信したときに前記第２の記憶部を参照してペアリング相手装置かを判別し、ペアリング相手装置であった場合にブルートゥース装置接続時モード対応の設定情報に基づいた機能設定を行う第２の制御部とを有する。
【０００７】
本発明の携帯端末のモード制御方法は、ブルートゥース装置と予めペアリングされた携帯端末のモード制御方法であって、前記携帯端末は前記ブルートゥース装置との接続時に前記ブルートゥース装置がペアリング相手装置であるかを照合し、ペアリング相手装置であった場合に予め登録されたブルートゥース装置接続時モード対応の設定情報に基づいた機能設定を行うことを特徴とする。
【発明の効果】
【０００８】
本発明によれば、携帯端末とペアリング相手装置との接続時にユーザの操作を一切必要とすることなく、携帯端末に予め設定された機能設定を自動的に行うことができるという効果が得られる。
【発明を実施するための最良の形態】
【０００９】
本発明の実施の形態について図面を参照して詳細に説明する。
【００１０】
図１は本発明の一実施の形態の構成を示す図であり、ペアリング（ボンディング）された携帯端末１０とブルートゥース装置２０とを備えている。図２は本発明の一実施の形態における携帯端末１０の構成を示す図であり、図３は本発明の一実施の形態におけるブルートゥース装置２０の構成を示す図である。なお、ペアリングとは、ブルートゥース（Bluetooth）接続のために相互に相手のブルートゥースアドレス（ＬＡＮにおけるＭＡＣア
ドレスと同じく、ブルートゥースでは個々の装置は全て３２bitのブルートゥースアドレ
スを持っている）を登録し、以後の接続を許可するためのものである。ペアリングを行った後は、ペアリング相手装置のみと接続が許可されることになる。また、ペアリングを行う場合は、ブルートゥース装置双方（マスター装置およびスレーブ装置）で同じリンクキー（パスキー）が設定される。本実施の形態においては、ブルートゥース装置２０をマスター装置、携帯端末１０をスレーブ装置として説明する。
【００１１】
携帯端末１０は、携帯電話機，ＰＨＳ(Personal Handyphone System)，ＰＤＡ(Personal Digital Assistance)等の携帯情報端末である。この携帯端末１０は、図２に示すよう
に、無線部１１と、アンテナ１２と、ブルートゥース通信部１３と、ブルートゥース通信用アンテナ１４と、記憶部１５と、制御部１６とを備えている。無線部１１は図示しない基地局との間でアンテナ１２を介して無線信号の送受信を行う通信装置であり、ブルートゥース通信部１３はブルートゥース通信用アンテナ１４を介してブルートゥース通信を行う機能を備えている。記憶部１５は読み出し，書き込み可能な記憶装置であり、この記憶部１５にはペアリング相手情報１５１と、モード別機能設定情報１５２とが予め登録されている。ペアリング相手情報１５１はペアリング済みの相手装置（ブルートゥース装置２０）のブルートゥースアドレスであり、ペアリング時に制御部１６により登録される。モード別機能設定情報１５２は、図４（モード別機能設定情報１５２として格納されるデータの一例を示す図）に示すように、ブルートゥース装置２０接続時モード，ブルートゥース装置２０非接続時モードのそれぞれに対応する各機能のＯＮ，ＯＦＦ設定情報である。なお、ブルートゥース装置２０接続時モードとは、携帯端末１０がブルートゥース装置２０のブルートゥース通信範囲内（例えば、１０ｍ以内）に存在し、ブルートゥース装置２０に接続されているときの機能設定モードである。また、ブルートゥース装置２０非接続時モードとは、携帯端末１０がブルートゥース装置２０のブルートゥース接続範囲外に存在し、ブルートゥース装置２０に接続されていないときの機能設定モードである。
【００１２】
制御部１６は、ＣＰＵ(Central Processing Unit)等の制御装置であり、プログラムに
より動作を制御される。この制御部１６は、
・ブルートゥース装置２０からの問い合わせ要求受信時に問い合わせ応答を送信する機能と、
・ブルートゥース装置２０からの接続要求受信時にブルートゥース装置２０がペアリング済みの相手装置かを照合する機能と、
・ペアリング済みの相手装置であった場合に、接続要求に応答するとともに、ブルートゥース装置２０接続時モードに対応した機能設定を行う機能と、
・ブルートゥース装置２０との接続後、ブルートゥース装置２０からのパケットを所定時間以上受信していない場合に接続を解除するとともに、ブルートゥース装置２０非接続時モードに対応した機能設定を行う機能と、
を備えている。
【００１３】
ブルートゥース装置２０は、所定エリア（携帯端末１０ユーザの自宅等）に設置された無線装置（マスター装置）であり、携帯端末１０（スレーブ装置）との間でブルートゥース通信を行う機能を備えている。このブルートゥース装置２０は、図３に示すように、ブルートゥース通信部２１と、ブルートゥース通信用アンテナ２２と、記憶部２３と、制御部２４とを備えている。ブルートゥース通信部２１はブルートゥース通信用アンテナ２２を介してブルートゥース通信を行う機能を備えている。記憶部２３は読み出し，書き込み可能な記憶装置であり、この記憶部２３にはペアリング相手情報２３１が予め登録されている。ペアリング相手情報２３１はペアリング済みの相手装置（携帯端末１０）のブルートゥースアドレスであり、ペアリング時に制御部２４により登録される。制御部２４は、ＣＰＵ(Central Processing Unit)等の制御装置であり、プログラムにより動作を制御さ
れる。
この制御部２４は、
・問い合わせ要求を周辺に送信する機能と、
・ペアリング相手装置からの問い合わせ応答受信時に接続要求を送信する機能と、
・接続要求応答時に接続（リンク）を確立する機能と、
・接続後に、所定間隔でペアリング相手装置にパケットを送信する機能と、
を備えている。
【００１４】
次に、本発明の一実施の形態の動作について図１〜図６を参照して説明する。なお、図５は本発明の一実施の形態におけるブルートゥース装置２０接続時モード適用時の動作を示すフローチャートであり、図６は本発明の一実施の形態におけるブルートゥース装置２０非接続時モード適用時の動作を示すフローチャートである。
【００１５】
最初に、ブルートゥース装置２０接続時モード適用時の動作について図１〜図５を参照して説明する。なお、本発明はペアリングされた携帯端末１０，ブルートゥース装置２０を前提としているため、携帯端末１０を所有するユーザは、予め携帯端末１０とブルートゥース装置２０との間で任意の指定リンクキー（パスキー）を交換（ペアリング）しておく。そして、ペアリング終了時に相手装置のブルートゥースアドレスをお互いに登録しておくものとする。すなわち、携帯端末１０においては、制御部１６がブルートゥース装置２０のブルートゥースアドレスをペアリング相手情報１５１として記憶部１５に登録する。また、ブルートゥース装置２０においては、制御部２４が携帯端末１０のブルートゥースアドレスをペアリング相手情報２３１として記憶部２３に登録する。
【００１６】
図５を参照すると、マスター装置であり携帯端末１０ユーザの自宅に設置されたブルートゥース装置２０は、制御部２４からブルートゥース通信部２１を介して問い合わせ要求パケット（ＩＱ（Ｉnquiry）パケット）を周辺に送信する（ステップＡ１）。
【００１７】
携帯端末１０ユーザが帰宅し、自宅内に置かれたブルートゥース装置２０の通信範囲内（例えば、ブルートゥース規格のClass２であれば半径１０ｍ以内）に携帯端末１０が進
入すると、携帯端末１０の制御部１６は問い合わせ要求パケットをスキャンする（ステップＡ２）。そして、制御部１６は応答パケット（ＦＨＳ（Frequency Hop Synchronization）パケット）をブルートゥース通信部１３を介してブルートゥース装置２０に返信する
。このＦＨＳパケットは携帯端末１０のブルートゥースアドレスを含んでいる（ステップＡ３）。
【００１８】
ブルートゥース装置２０の制御部２４は、携帯端末１０からのＦＨＳパケットを受信すると、ＦＨＳパケットに含まれているブルートゥースアドレスが記憶部２３にペアリング相手情報２３１として登録されたブルートゥースアドレスと一致するかを照合する（ステップＡ４）。
【００１９】
ステップＡ４において、受信したブルートゥースアドレスがペアリング相手装置のブルートゥースアドレスと一致した場合、ブルートゥース装置２０の制御部２４は携帯端末１０に対して接続要求パケット（呼び出し要求パケット）を送信する。そして、ブルートゥース装置２０の制御部２４は携帯端末１０から接続要求パケット受信確認を受け取ると、ＦＨＳパケットを携帯端末１０に送信する。このＦＨＳパケットはブルートゥース装置２０のブルートゥースアドレスを含んでいる（ステップＡ５）。
【００２０】
携帯端末１０は、ブルートゥース装置２０からのＦＨＳパケットを受信すると、ＦＨＳパケットに含まれているブルートゥースアドレスが、ペアリング相手情報１５１として登録されたペアリング相手装置のブルートゥースアドレスと一致するかを照合する（ステップＡ６）。
【００２１】
受信したブルートゥースアドレスがペアリング相手装置のブルートゥースアドレスと一致した場合、携帯端末１０の制御部１６は接続要求応答パケットをブルートゥース装置２０に送信し、ブルートゥース装置２０との接続（無線リンク）を確立する。同様に、ブルートゥース装置２０の制御部２４は携帯端末１０からの接続要求応答パケットを受信し、携帯端末１０との接続（無線リンク）を確立する（ステップＡ７）。
【００２２】
携帯端末１０の制御部１６は、ペアリング相手装置（ブルートゥース装置２０）との接続確立をトリガーとしてブルートゥース装置２０接続時モードに切り替える。詳細には、制御部１６はモード別機能設定情報１５２を参照し、ブルートゥース装置２０接続時モードに対応付けられた各機能のＯＮ，ＯＦＦ設定を行う。図４に示されたブルートゥース装置２０接続時モードを参照すると、マナーモード機能はＯＦＦ、セキュリティロック機能はＯＦＦ、目覚まし機能はＯＮと登録されているため、制御部１６はこれら登録された各機能のＯＮ，ＯＦＦ設定を行う（ステップＡ８）。
【００２３】
一般的に、携帯端末１０を携帯するユーザは電車等公共施設を利用するため外出時はマナーモード機能をＯＮに、他人による不正利用を防ぐためセキュリティロック機能をＯＮに、また、目覚まし機能は外出時は必要ないためＯＦＦにそれぞれ設定することが多い。本実施の形態におけるブルートゥース装置２０接続時モードの適用においては、ユーザ帰宅時にユーザの操作を一切必要とすることなく、予め登録された在宅用機能のＯＮ，ＯＦＦ設定を自動的に行うようにしている。従って、ユーザにとっては外出から帰宅した時の各機能のＯＮ，ＯＦＦ設定変更の負担から解放されるという効果が得られる。
【００２４】
また、本実施の形態におけるブルートゥース装置２０接続時モードの適用においては、ブルートゥース装置２０とペアリング済みの携帯端末１０だけをブルートゥース装置２０接続時モードに切り替えるようにしている。これにより、自宅に友人が訪ねてきた場合等に、ペアリングしていない携帯端末１０の機能のＯＮ，ＯＦＦ設定の切り替えを防止することができるという効果が得られる。
【００２５】
次に、ブルートゥース装置２０非接続時モード適用時の動作について図１〜図４および図６を参照して説明する。
【００２６】
図６を参照すると、ブルートゥース装置２０との接続後、携帯端末１０がブルートゥース装置２０からのパケット（名称：Beacon）を所定の時間以上受信していない場合は（ステップＢ１）、制御部１６はブルートゥース装置２０との接続を解除する（ステップＢ２）。すなわち、ブルートゥース装置２０からのパケットを所定の時間以上受信していないことで、携帯端末１０はブルートゥース装置２０の通信範囲外（自宅外）に出たことを判別する。
【００２７】
そして、ブルートゥース装置２０との接続解除をトリガとして、携帯端末１０の制御部１６はブルートゥース装置２０非接続時モードに切り替える。詳細には、制御部１６はモード別機能設定情報１５２を参照し、ブルートゥース装置２０非接続時モードに対応付けられた各機能のＯＮ，ＯＦＦ設定を行う。図４に示されたブルートゥース装置２０非接続時モードを参照すると、マナーモード機能はＯＮ、セキュリティロック機能はＯＮ、目覚まし機能はＯＦＦと登録されているため、制御部１６はこれら登録された各機能のＯＮ，ＯＦＦ設定を行う（ステップＢ３）。
【００２８】
以上説明したように、本実施の形態におけるブルートゥース装置２０非接続時モードの適用においては、ユーザ外出時にユーザの操作を一切必要とすることなく、予め登録された外出用機能のＯＮ，ＯＦＦ設定を自動的に行うようにしている。従って、ユーザにとっては外出する時の各機能のＯＮ，ＯＦＦ設定変更の負担から解放されるという効果が得られる。
【００２９】
次に、本発明の他の実施の形態について説明する。
【００３０】
本実施の形態は、上述した一実施の形態における問い合わせ要求パケット送信による接続開始を、予め設定した時刻に行うようにした点を特徴としている。図７は本発明の他の実施の形態における携帯端末１０の構成を示す図であり、図８は本発明の他の実施の形態におけるブルートゥース装置２０の構成を示す図である。
【００３１】
図７を参照すると、図２（一実施の形態における携帯端末１０の構成図）に比べ、携帯端末１０は時計部１７をさらに備えるとともに、記憶部１５に時刻情報１５３を予め登録している点が異なっている。また、図８を参照すると、図３（一実施の形態におけるブルートゥース装置２０の構成図）に比べ、ブルートゥース装置２０は時計部２５をさらに備えるとともに、記憶部２３に時刻情報２３２を予め登録している点が異なっている。時計部１７または時計部２５は、カレンダー情報や時刻を生成，出力する機能を備えている。時刻情報１５３，時刻情報２３２は、ブルートゥース通信部１３，ブルートゥース通信部２１の電源をそれぞれＯＮする時刻の情報である。例えば、ブルートゥース装置２０が自宅に設置されており、携帯端末１０ユーザの帰宅時刻が毎日１９時頃であれば１９時少し前（１８時５０分等）を時刻情報１５３，時刻情報２３２として携帯端末１０，ブルートゥース装置２０にそれぞれ登録しておくものとする。また、曜日や日付によって帰宅時刻が異なる場合は、曜日や日付対応に時刻を変えて登録するようにしてもよい。
【００３２】
次に、本発明の他の実施の形態の動作について図７〜図９を参照して説明する。なお、図９は本発明の他の実施の形態におけるブルートゥース装置２０接続時モード適用時の動作を示すフローチャートである。
【００３３】
図９を参照すると、携帯端末１０の制御部１６は設定時刻（時刻情報１５３として記憶部１５に登録されている時刻）になったかを時計部１７を参照して確認する（ステップＣ１）。設定時刻になっていた場合は、制御部１６はブルートゥース通信部１３の電源をＯＮとする（ステップＣ２）。同様に、ブルートゥース装置２０の制御部２４も設定時刻（時刻情報２３２として記憶部２３に登録されている時刻）になったかを時計部２５を参照して確認し（ステップＣ３）、設定時刻になっていた場合は、ブルートゥース通信部２１の電源をＯＮとする（ステップＣ４）。なお、携帯端末１０，ブルートゥース装置２０に登録された設定時刻はそれぞれ同じ時刻である。設定時刻になると、マスター装置であり携帯端末１０ユーザの自宅に設置されたブルートゥース装置２０は、制御部２４からブルートゥース通信部２１を介して問い合わせ要求パケット（ＩＱ（Ｉnquiry）パケット）を周辺に送信する（ステップＣ５）。
【００３４】
なお、以降のステップＣ６〜ステップＣ１２の動作については、図５（一実施の形態におけるブルートゥース装置２０接続時モード適用時の動作）におけるステップＡ２〜ステップＡ８の動作と同じであるため、説明を省略する。また、本実施の形態におけるブルートゥース装置２０非接続時モード適用時の動作についても一実施の形態と同じであるため、説明を省略する。
【００３５】
以上説明したように、本実施の形態においては、設定時刻（ユーザの帰宅時刻）になったときに、携帯端末１０，ブルートゥース装置２０のブルートゥース通信部１３，２１の電源をＯＮとし、問い合わせ要求パケット送信による接続開始を行うようにしている。これにより、上述した一実施の形態による効果に加え、消費電力節減の効果がさらに得られる。
【００３６】
次に、本発明の応用例，変形例等について説明する。
【００３７】
・上述した一実施の形態および他の実施の形態においては、ブルートゥース装置２０を携帯端末１０ユーザの自宅に置いた場合について説明したが、複数の場所（自宅と友人宅、等）に置いた場合にも本発明の適用は可能である。この場合は、図１０に示すように、第１（自宅）のブルートゥース装置２０との接続時、第２（友人宅）のブルートゥース装置２０との接続時、ブルートゥース装置２０非接続時のそれぞれに対応する機能ＯＮ，ＯＦＦ設定情報をモード別機能設定情報１５２として登録しておく。また、第１および第２のブルートゥース装置２０のブルートゥースアドレスをペアリング相手情報１５１として記憶部１５に登録しておく。そして、携帯端末１０の制御部１６は、ブルートゥース装置２０との接続時に受信したブルートゥースアドレスに基づいて第１のブルートゥース装置２０か第２のブルートゥース装置２０かを判別し、図１０に示した設定情報に基づいて各機能のＯＮ，ＯＦＦ設定を行うことになる。
【００３８】
・上述した一実施の形態および他の実施の形態においては、ブルートゥース通信範囲を半径１０ｍ内（ブルートゥース規格：Class２）として説明したが、Class１（１００ｍ内）やClass３（１ｍ内）としてもよい。
【００３９】
・上述した一実施の形態および他の実施の形態においては、ブルートゥース装置２０接続時モード，非接続時モード対応の設定機能としてマナーモード機能，目覚し機能等を例示したが、これら機能については特に限定されず、他の機能に適用してもよい。
【図面の簡単な説明】
【００４０】
【図１】本発明の一実施の形態の構成を示す図である。
【図２】本発明の一実施の形態における携帯端末１０の構成を示す図である。
【図３】本発明の一実施の形態におけるブルートゥース装置２０の構成を示す図である。
【図４】モード別機能設定情報１５２として格納されるデータの一例を示す図である。
【図５】本発明の一実施の形態におけるブルートゥース装置２０接続時モード適用時の動作を示すフローチャートである。
【図６】本発明の一実施の形態におけるブルートゥース装置２０非接続時モード適用時の動作を示すフローチャートである。
【図７】本発明の他の実施の形態における携帯端末１０の構成を示す図である。
【図８】本発明の他の実施の形態におけるブルートゥース装置２０の構成を示す図である。
【図９】本発明の他の実施の形態におけるブルートゥース装置２０接続時モード適用時の動作を示すフローチャートである。
【図１０】モード別機能設定情報１５２として格納されるデータの一例を示す図である。
【符号の説明】
【００４１】
１０    携帯端末
１１    無線部
１２    アンテナ
１３    ブルートゥース通信部
１４    ブルートゥース通信用アンテナ
１５    記憶部
１５１    ペアリング相手情報
１５２    モード別機能設定情報
１５３    時刻情報
１６    制御部
１７    時計部
２０    ブルートゥース装置
２１    ブルートゥース通信部
２２    ブルートゥース通信用アンテナ
２３    記憶部
２３１    ペアリング相手情報
２３２    時刻情報
２４    制御部
２５    時計部
【図１】
2009071664.tif 000003
【図２】
2009071664.tif 000004
【図３】
2009071664.tif 000005
【図４】
2009071664.tif 000006
【図５】
2009071664.tif 000007
【図６】
2009071664.tif 000008
【図７】
2009071664.tif 000009
【図８】
2009071664.tif 000010
【図９】
2009071664.tif 000011
【図１０】
2009071664.tif 000012